(57)【要約】【課題】ユニコードで表された文字列に言語ごとに異なる文字が含まれる場合においても正確に字形の表示および画数によるソートを行うことのできる電子機器を提供する。 【解決手段】本発明に係る電子機器１は、ユニコードによって記述された文字の複数の言語における字形情報を保存する字形保存手段１２と、ユニコードによって記述された文字によって構成された文字列の中から１文字を抽出し、抽出された１文字が特定の言語にのみ含まれる言語独特文字であるか否かを判別し、抽出された１文字が言語独特文字であれば文字列の属する言語が言語独特文字の属する言語であると特定する判別手段７と、特定された言語における字形保存手段に保存されている字形情報によって文字列を表示する表示手段６とを有する。【選択図】図１
2014160252.tif 000002
【特許請求の範囲】
【請求項１】
ユニコードによって記述された文字の複数の言語における字形および当該文字が特定の言語にのみ含まれる言語独特文字であるか否かの情報を含むユニコード変換テーブルを予め記憶しているメモリ部と、
与えられた文字列の中から１文字を抽出して前記ユニコード変換テーブルと照合し、当該１文字が前記言語独特文字であれば前記文字列の属する言語が前記言語独特文字の属する言語であると特定する言語識別処理部と、
前記特定された言語において前記ユニコード変換テーブルに含まれている字形によって前記文字列を予め備えられたディスプレイに表示させる表示処理部と
を有すること、を特徴とする電子機器。
【請求項２】
前記言語識別処理部は、前記抽出された１文字が前記言語独特文字でなければ、前記文字列から別の１文字を抽出して該文字が特定の言語にのみ含まれる言語独特文字であるか否かを判別する動作を繰り返し、前記文字列に１文字でも前記言語独特文字が含まれていれば前記文字列の属する言語が前記言語独特文字の属する言語であると特定すること、を特徴とする請求項１に記載の電子機器。
【請求項３】
前記言語識別処理部は、前記文字列に前記言語独特文字が含まれない場合に、前記メモリ部に予め記憶されているユーザの指定した言語における字形によって前記文字列を表示すること、を特徴とする請求項２に記載の電子機器。
【請求項４】
前記言語識別処理部によって前記特定された言語が正しくない場合に、前記表示処理部が、ユーザが任意に切り替えた言語で前記文字列を前記ディスプレイに表示させる機能を有すること、を特徴とする請求項１に記載の電子機器。
【請求項５】
前記ユニコード変換テーブルが、ユニコードによって記述された文字の複数の言語における画数を含み、
前記言語識別処理部が、複数の文字列の各々に対して当該文字列の属する言語を判定すると共に、前記複数の文字列を、判定された当該各文字列の属する言語における前記画数によってソートし、前記ソートの結果を前記表示処理部に表示させる機能を有すること、を特徴とする請求項１に記載の電子機器。
【請求項６】
ユニコードによって記述された文字の複数の言語における字形および当該文字が特定の言語にのみ含まれる言語独特文字であるか否かの情報を含むユニコード変換テーブルを予め記憶している電子機器が与えられた文字列を表示する方法であって、
前記文字列に含まれる任意の１文字を言語識別処理部が前記ユニコード変換テーブルと照合して当該１文字が前記言語独特文字であれば前記文字列の属する言語が前記言語独特文字の属する言語であると特定し、
前記特定された言語において前記ユニコード変換テーブルに含まれている字形によって前記文字列を表示処理部が予め備えられたディスプレイに表示させること、を特徴とする文字列表示方法。
【請求項７】
前記抽出された１文字が前記言語独特文字でない場合に、前記言語識別処理部が前記文字列から別の１文字を抽出して該文字が特定の言語にのみ含まれる言語独特文字であるか否かを判別する動作を繰り返し、前記文字列に１文字でも前記言語独特文字が含まれていれば前記文字列の属する言語が前記言語独特文字の属する言語であると特定すること、を特徴とする請求項６に記載の文字列表示方法。
【請求項８】
前記文字列が複数与えられ、前記ユニコード変換テーブルがユニコードによって記述された文字の複数の言語における画数を含むものであると共に、
前記言語識別処理部が、複数の前記文字列の各々に対して当該文字列の属する言語を判定すると共に、前記複数の文字列を、判定された当該各文字列の属する言語における前記画数によってソートし、前記ソートの結果を前記表示処理部に表示させること、を特徴とする請求項６に記載の文字列表示方法。
【請求項９】
ユニコードによって記述された文字の複数の言語における字形および当該文字が特定の言語にのみ含まれる言語独特文字であるか否かの情報を含むユニコード変換テーブルを予め記憶している電子機器にあって、
前記電子機器が備えているプロセッサに、
与えられた文字列に含まれる任意の１文字を前記ユニコード変換テーブルと照合して当該１文字が前記言語独特文字であれば前記文字列の属する言語が前記言語独特文字の属する言語であると特定する手順、
および前記特定された言語において前記ユニコード変換テーブルに含まれている字形によって前記文字列を予め備えられたディスプレイに表示させる手順を実行させること、を特徴とする文字列表示プログラム。
【請求項１０】
前記文字列が複数与えられ、前記ユニコード変換テーブルがユニコードによって記述された文字の複数の言語における画数を含むものであり、
前記プロセッサに、複数の前記文字列の各々に対して当該文字列の属する言語を判定すると共に、前記複数の文字列を、判定された当該各文字列の属する言語における前記画数によってソートし、前記ソートの結果を前記表示処理部に表示させる手順をさらに実行させること、を特徴とする請求項９に記載の文字列表示プログラム。
【発明の詳細な説明】
【技術分野】
【０００１】
本発明は、携帯電子機器で文字を表示およびソートする方法に関し、特にユニコードにより記述された文字を携帯電話などの電子機器で表示およびソートする方法に関する。
【背景技術】
【０００２】
世界各国で使われているさまざまな言語をコンピュータなどの電子機器によって処理する際、それぞれの言語に対して異なるエンコーディング方式（文字コード）が採用されている。たとえば日本語ではＪＩＳ（ＩＳＯ−２０２２−ＪＰ）、Ｓｈｉｆｔ＿ＪＩＳ、ＥＵＣ−ＪＰなどの文字コードがある。中国語ではＧＢ２３１２（簡体字）やＢｉｇ５（繁体字）など、韓国語ではＫＳＣ５６０１などの文字コードが代表的である。コンピュータが多くの言語で使用されるようになったことにより、文字コードの種類は飛躍的に増大し、現在では代表的なものだけで１００種類以上の文字コードが存在する。
【０００３】
異なる言語（文字コード）の間には互換性がないので、異なる地域間において電子メールなどの文字情報を送受信した場合、文字が正確に表示されないことがある。このため、米国マイクロソフト社のウィンドウズ（登録商標）シリーズなどのようなパーソナルコンピュータ（ＰＣ）用のオペレーティングシステム（ＯＳ）では、複数の言語に対応するためのモジュールが用意されており、これを利用することによって文字を正確に表示させることができる。しかし、携帯電話機、ＰＤＡ、音楽プレーヤーなどのような小型電子機器は、記憶容量や演算能力に制約があるので、これと同じような方法で複数の言語に対応させることが困難である。
【０００４】
異なる言語（文字コード）の間の互換性を解決するため、多くの言語の文字を単一の文字コードで取り扱うことが可能なユニコード（Ｕｎｉｃｏｄｅ、米国における商標）が考案された。現在では、ユニコードは世界共通のエンコーディング方式として、幅広く利用されるようになっている。ユニコードは、異なる複数の言語ごとに割り当てられる文字コードと、各言語に共通に割り当てられる文字コードからなる統合コードである。ユニコードを利用して文字情報をエンコーディングすることにより、異なる地域間であっても文字化けなどの不具合を生じることなく文字情報を表示させることができる。
【０００５】
しかしユニコードでは、言語間で重複する文字や、意味または構造が似通った文字同士に同一の文字コードが割り当てられている。このため、言語ごとに画数および字形が異なる文字であっても、類似した漢字には同一の文字コードが割り当てられるケースが生じている。
【０００６】
図５は、言語ごとに異なる文字に対してユニコードで同一の文字コードが割り当てられた文字の例を示すイメージ図である。たとえば、図５の（Ａ）は、日本語の漢字「突」と、繁体字中国語および簡体字中国語においてそれに対応する漢字を示している。日本語、繁体字中国語、簡体字中国語で、これらの漢字は画数および字形がそれぞれ異なっている。より具体的には日本語の漢字「突」の画数は、簡体字中国語や繁体字中国語でそれに対応する漢字より１画少ない。しかしユニコードでは、これらの漢字に対してすべて同一の文字コード（Ｕ＋０ｘ７Ａ８１）が割り当てられている。
【０００７】
また、図５の（Ｂ）は、日本語の漢字「滑」と、繁体字中国語においてそれに対応する漢字を示している。日本語と繁体字中国語において、これらの漢字は画数および字形がそれぞれ異なっている。より具体的には日本語の漢字「滑」の画数は、簡体字中国語でそれに対応する漢字より１画多い。しかしユニコードでは、これらの漢字に対して同一の文字コード（Ｕ＋０ｘ６ＥＤ１）が割り当てられている。
【０００８】
言語ごとに異なる文字であるにもかかわらず同一の文字コードが割り当てられた場合、たとえばユニコードで表された中国語の電子メールやウェブサイトを表示する場合であっても、日本語のＯＳでは、前述の「突」や「滑」などのような文字は日本語の字形で表示されるので、中国語でそれらの電子メールやウェブサイトを書いた者の意図した通りの表示にはならないことがある。また、それらの文字を含む文字列を画数でソートした場合、日本語と中国語とでそれらの文字の画数が異なるので、ソートした結果が異なってしまうことがある。
【０００９】
この問題を解決する方法として、特許文献１には、文字列における各言語に特有の文字の出現頻度に基づいて、文字列に利用されている言語を判別する技術が開示されている。また、特許文献２には、字形（フォント）識別情報によって特定される字形によってユニコードで表示される文字列を表示する技術が開示されている。特許文献３には、字形（グリフ）切り替えデータによって特定される字形によってユニコードで表示される文字列を表示する技術が開示されている。
【先行技術文献】
【特許文献】
【００１０】
【特許文献１】特開２００６−９２２２３号公報
【特許文献２】特開２０００−２２７７９０号公報
【特許文献３】特開平１１−２３２２７６号公報
【発明の概要】
【発明が解決しようとする課題】
【００１１】
しかし、上述の特許文献１の技術では、文字列を構成するすべての文字に対して各言語に特有の文字であるか否かを識別し、当該文字列における各言語の出現頻度を求める必要がある。字数が多くなると、この判別の処理に多くの計算量と時間がかかるという問題があった。特に前述のような小型電子機器で、このような処理を行うことが困難である。
【００１２】
一方、特許文献２および３の技術では、文字列データは字形識別情報（フォントタイプ）、もしくは字形（グリフ）切り替えデータなどといった追加情報を持ち、それらのデータによって文字列に利用されている言語を特定して、該言語に対応する字形で該文字列を表示する技術を開示している。この技術によれば、言語によって異なる字形の表示、および画数によるソートを正確に行うことができる。しかし、追加情報を持つことによって、電子メールやウェブサイトなどのデータの容量が増大することになる。
【００１３】
本発明の目的は、追加情報に頼ることなく、また小型電子機器で無理なく処理できる計算量で、ユニコードで表された文字列に言語ごとに異なる文字が含まれる場合においても字形の表示および画数によるソートを正確に行うことのできる電子機器、文字列表示方法、および文字列表示プログラムを提供することにある。
【課題を解決するための手段】
【００１４】
上記目的を達成するため、本発明に係る電子機器は、ユユニコードによって記述された文字の複数の言語における字形および当該文字が特定の言語にのみ含まれる言語独特文字であるか否かの情報を含むユニコード変換テーブルを予め記憶しているメモリ部と、与えられた文字列の中から１文字を抽出してユニコード変換テーブルと照合し、当該１文字が言語独特文字であれば文字列の属する言語が言語独特文字の属する言語であると特定する言語識別処理部と、特定された言語においてユニコード変換テーブルに含まれている字形によって文字列を予め備えられたディスプレイに表示させる表示処理部とを有すること、を特徴とする。
【００１５】
上記目的を達成するため、本発明に係る文字列表示方法は、ユニコードによって記述された文字の複数の言語における字形および当該文字が特定の言語にのみ含まれる言語独特文字であるか否かの情報を含むユニコード変換テーブルを予め記憶している電子機器が与えられた文字列を表示する方法であって、文字列に含まれる任意の１文字を言語識別処理部がユニコード変換テーブルと照合して当該１文字が言語独特文字であれば文字列の属する言語が言語独特文字の属する言語であると特定し、特定された言語においてユニコード変換テーブルに含まれている字形によって文字列を表示処理部が予め備えられたディスプレイに表示させること、を特徴とする。
【００１６】
上記目的を達成するため、本発明に係る文字列表示プログラムは、ユニコードによって記述された文字の複数の言語における字形および当該文字が特定の言語にのみ含まれる言語独特文字であるか否かの情報を含むユニコード変換テーブルを予め記憶している電子機器にあって、電子機器が備えているプロセッサに、与えられた文字列に含まれる任意の１文字をユニコード変換テーブルと照合して当該１文字が言語独特文字であれば文字列の属する言語が言語独特文字の属する言語であると特定する手順、および特定された言語においてユニコード変換テーブルに含まれている字形によって文字列を予め備えられたディスプレイに表示させる手順を実行させること、を特徴とする。
【発明の効果】
【００１７】
本発明は、上記したようにユニコードによって記述された文字によって構成された文字列に含まれる文字を１文字ずつ言語独特文字であるか否かを判別し、言語独特文字を含む場合に該文字列の属する言語が言語独特文字の属する言語であると特定するように構成したので、追加情報に頼ることなく、また携帯電子機器で無理なく可能な計算量で、文字列の属する言語を判別することができる。これによって、ユニコードで表された文字列に対して小さい処理能力で有効に動作することのできる従来にない優れた電子機器、文字列表示方法、および文字列表示プログラムを提供することができる。
【発明を実施するための形態】
【００１８】
以下、本発明の実施形態を図に基づいて説明する。
【００１９】
図１は、本発明の実施の形態による小型電子機器の一構成例を示したブロック図である。本発明の実施形態における小型電子機器の一例である携帯電話端末１は、中央処理装置２と、メモリ部１１、ＬＣＤ１３、無線モジュール１４、操作部１５からなる。中央処理装置２は、ＭＰＵおよびＲＡＭからなる主制御部３が、無線通信部４、操作入力処理部５、言語判定処理部６、言語識別処理部７、文字情報保存処理部８、ユーザ指定保存処理部９、表示処理部１０の各機能を実行する。
【００２０】
無線通信部４は無線モジュール１４を制御し、地上局（図示せず）との間で無線による音声通信およびデータ通信を確立する。主制御部３は無線通信部４を制御してデータ通信を行い、インターネットなどを介して電子メールやウェブページなどのデータをダウンロードして、文字情報保存処理部８を介してメモリ部１１に格納する。また主制御部３は、操作入力処理部５を介して、ユーザによる操作部１５におけるキー入力を受け付け、上述の各処理部によって処理を行う。そして主制御部３は、各々の処理の結果を表示処理部１０を介してＬＣＤ（Liquid Crystal Display、液晶ディスプレイ）１３に表示する。
【００２１】
メモリ部１１はユニコード変換テーブル１２を含む。ユニコード変換テーブル１２は、ユニコードで表示された文字を各言語に対応付けるためのコードアサインが格納されたデータベースである。より具体的にはユニコード変換テーブル１２は、ユニコードで表示された日本語、繁体字中国語、簡体字中国語、韓国語、香港中国語などの文字の字形と画数、および各々の文字が後述する言語独特文字であるか否かについての情報を含む。
【００２２】
メモリ部１１に記憶された電子メールやウェブページなどのデータは、操作部１５および操作入力処理部５を通じたユーザからの操作入力により、文字情報保存処理部８によってメモリ部１１を介して読み出される。その際、メールやウェブページに利用されている言語を言語識別処理部７が識別する。
【００２３】
言語判定処理部６は、言語識別処理部７の識別結果に基づいて、文字列に利用されている言語を判別する。また、言語判定処理部６は、該文字列の判別された言語の字形における画数を確定し、確定された画数に基づいてソートする処理も行う。そして、言語判定処理部６はその識別結果に対応した字形をユニコード変換テーブル１２から読み出し、該字形によって該文字列およびソート処理結果を表示処理部１０を介してＬＣＤ１３上に表示する。
【００２４】
ユーザ指定保存処理部９は、ユーザにデフォルトの設定言語としてあらかじめ選択させた言語の種類をユーザ指定言語として保存するメモリである。言語識別処理部７が言語を識別できなかった場合、ユーザ指定保存処理部９に予め保存されているデフォルトの設定言語が判別結果として出力される。
【００２５】
本実施の形態では、ユニコードで表示される各言語の文字を、大きく「言語独特文字」と「共通文字」とに分ける。言語独特文字は、１種類の言語でしか使われない文字をいう。共通文字は、２種類以上の言語に共通して使われる文字をいう。各々の文字が言語独特文字であるか否かは、前述のようにユニコード変換テーブル１２に保存されている。
【００２６】
たとえば、日本語のひらがなやカタカナ、韓国語のハングルなどは、典型的な言語独特文字である。漢字においては、中国語でしか使われない文字は言語独特文字であり、日本語や韓国語でも使われうる漢字は共通文字である。図５で例示した言語によって字形が異なる文字も、共通文字に含まれる。
【００２７】
図２は、図１内に開示した言語識別処理部７が行う、文字列に利用されている言語の識別の処理を表すフローチャートである。言語識別処理部７が処理を開始すると（Ｓ２１）、まず変数Ｉ＝１を定義する（ステップＳ２２）。言語識別処理部７は判定対象文字列のＩ文字目を抜き出し、抜き出したＩ文字目が言語独特文字であるか否かを、ユニコード変換テーブル１２のデータに基づいて識別する（ステップＳ２３）。言語識別処理部７は、Ｉ文字目が言語独特文字であればステップＳ２６に処理を進め、使用言語＝該言語独特文字の属する言語との判定結果を言語判定処理部６に出力して、処理を終了する（ステップＳ２８）。
【００２８】
言語識別処理部７は、ステップＳ２３でＩ文字目が言語独特文字でなければ、変数Ｉが判定対象文字列の長さに等しいか否かを判別する（ステップＳ２４）。言語識別処理部７は、等しくなければ、Ｉの値を１つ増やして（ステップＳ２５）、ステップＳ２３の処理を繰り返す。つまり、言語識別処理部７は図２に示すように、判定対象文字列の１文字目から順番に言語独特文字であるか否かを識別し、１文字でも言語独特文字に該当する文字があれば、該言語独特文字の属する言語が使用言語であると識別する。
【００２９】
言語識別処理部７は、ステップＳ２４で変数Ｉが判定対象文字列の長さに等しい場合は、判定対象文字列の１文字目から順番に最後の文字までステップＳ２３の処理を繰り返しても、言語独特文字に該当する文字が存在しなかったことを意味する。この場合は言語識別処理部７は、ステップＳ２７に処理を進め、ユーザ指定保存処理部９に保存されているユーザ指定言語を読み出し、使用言語＝ユーザ指定言語との判定結果を言語判定処理部６に出力して、処理を終了する（ステップＳ２８）。
【００３０】
図３は、図１内に開示した言語判定処理部６が行う、文字列を表示する処理を表すフローチャートである。言語判定処理部６は、処理を開始して（Ｓ３１）文字情報保存処理部８から表示対象文字列を得ると（ステップＳ３２）、該文字列を言語識別処理部７によって言語の識別の処理を行う（ステップＳ３３）。言語識別処理部７は、図２に示した処理で、使用言語を言語判定処理部６に出力する。言語判定処理部６は、判定された使用言語に基づいて該文字列をＬＣＤ１３上に表示して終了する（ステップＳ３４〜３５）。
【００３１】
図４は、図１内に開示した言語判定処理部６が行う、複数の文字列をソートする処理を表すフローチャートである。言語判定処理部６は、処理を開始して（ステップＳ４１）文字情報保存処理部８からｋ個のソート対象文字列（ｋは２以上の自然数）を得ると（ステップＳ４２）、まず変数ｊ＝１を定義し（ステップＳ４３）、ｊ番目の文字列を言語識別処理部７によって言語の識別の処理を行う（ステップＳ４４）。言語識別処理部７は、図２に示した処理で、使用言語を言語判定処理部６に出力する。言語判定処理部６は、ｊ番目の文字列の画数を、判定された使用言語における字形に基づいて確定する（ステップＳ４５）。
【００３２】
続いて言語判定処理部６は、変数ｊがソート対象文字列の個数ｋに等しいか否かを判別し（ステップＳ４６）、等しくなければステップＳ４７に処理を進めて、ｊの値を１つ増やして、ステップＳ４４〜４５の処理を繰り返す。つまり、言語判定処理部６は、用意されたｋ個のソート対象文字列の全てに対して使用言語を識別して画数を確定する。ステップＳ４６で変数ｊがｋに等しくなれば、全てのソート対象文字列の画数が確定されたのでステップＳ４８に進み、確定された画数に基づいてソート対象文字列をソートして、ソートの結果をＬＣＤ１３上に表示して終了する（ステップＳ４９）。
【００３３】
なお、図２〜４で説明したフローチャートに係る各ステップの動作内容は、携帯電話端末１があらかじめ備えるコンピュータで動作するプログラムとして実行させるように構成することができる。また、図２〜４では対象文字列の１文字目から順番に言語独特文字であるか否かを識別しているが、これを対象文字列の最終文字から順番に識別するようにしてもよいし、対象文字列の中からアトランダムに抽出した文字について識別するようにしてもよい。なお、前記プログラムは、記録媒体に記録されて商取引の対象となる。
【００３４】
以上で述べたように、本実施の形態における使用言語の判別の処理は、上述の特許文献１のように表示対象文字列の全ての文字に対して言語独特文字であるか否かを識別して集計するのではない。１文字でも言語独特文字に該当する文字があれば、該言語独特文字の属する言語が使用言語であると識別するのである。従って、記憶容量や演算能力に制約がある携帯電子機器においても、無理のない計算量で使用言語の判別の処理を行うことができる。また、上述の特許文献２および３のように表示対象文字列とは別の追加情報を必要とはしないので、電子メールやウェブページなどのデータの容量を増大させることもない。
【００３５】
一方、図２に示した本実施の形態における使用言語の判別の処理では、１つの文字列の中に複数の言語における言語独特文字が含まれていると、誤った判別結果が出てしまう可能性を否定できない。小型電子機器で利用される電子メールやウェブページなどの文書容量は、ＰＣなどで利用されるそれらと比べて一般的に小さいので、１つの文書の中に複数の言語における言語独特文字が含まれる可能性はＰＣの場合と比べて低い。従って、ほとんどの場合は、本実施の形態の判別処理で問題が生じることはない。
【００３６】
それでも誤った判別結果が出て誤った字形で文字が表示される場合には、前述のユーザ指定保存処理部９などを利用して、ユーザが任意に使用言語を切り替えて電子メールやウェブページを表示できるようにすることが望ましい。
【００３７】
これまで本発明について図面に示した特定の実施の形態をもって説明してきたが、本発明は図面に示した実施の形態に限定されるものではなく、本発明の効果を奏する限り、これまで知られたいかなる構成であっても採用することができることは言うまでもないことである。
【００３８】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
【産業上の利用可能性】
【００３９】
ユニコードにより記述された文字を表示する電子機器において利用可能である。特に、携帯電話機、ＰＤＡ、音楽プレーヤーなどのような小型電子機器に適している。
【図面の簡単な説明】
【００４０】
【図１】本発明の実施の形態による小型電子機器の一構成例を示したブロック図である。
【図２】図１内に開示した言語識別処理部が行う、文字列に利用されている言語の識別の処理を表すフローチャートである。
【図３】図１内に開示した言語判定処理部が行う、文字列を表示する処理を表すフローチャートである。
【図４】図１内に開示した言語判定処理部が行う、複数の文字列をソートする処理を表すフローチャートである。
【図５】言語ごとに異なる文字に対してユニコードで同一の文字コードが割り当てられた文字の例を示すイメージ図である。
【符号の説明】
【００４１】
１  携帯電話端末
２  中央処理装置
３  主制御部
４  無線通信部
５  操作入力処理部
６  言語判定処理部（表示手段、ソート手段）
７  言語識別処理部（判別手段）
８  文字情報保存処理部
９  ユーザ指定保存処理部（言語保持手段）
１０  表示処理部
１１  メモリ部（記憶手段）
１２  ユニコード変換テーブル（字形保存手段）
１３  ＬＣＤ
１４  無線モジュール
１５  操作部
【図１】
2014160252.tif 000003
【図２】
2014160252.tif 000004
【図３】
2014160252.tif 000005
【図４】
2014160252.tif 000006
【図５】
2014160252.tif 000007